(57)【要約】本発明は、安全ベルトが、人間の体に装着可能かつ取付け可能であり、かつこの安全ベルトが、安全ベルト（２０）の装着及び取外しを可能にする少なくとも２つのベルト部分（２１，２２）、及びベルト部分（２１，２２）を確実にかつ再び取外し可能に結合する取付け要素を有する、とくに人間の保護のための安全ベルト（２０）に関する。安全ベルト（２０）は、多様の安全又は保護要素のための少なくとも１つの取付け装置（２５）を有し、この取付け装置は、少なくとも１つのベルト部分（２１，２２）に固定的に結合されている。さらに取付け装置（２５）を含む安全ベルト（２０）は、長い期間にわたってかつ日常生活の活動の際にも、望ましい装着快適性及び大きな運動自由度において安全ベルト（２０）の装着が可能であるように、その寸法及びその重量について形成されている。【実用新案登録請求の範囲】
【請求項１】
安全ベルトが、人間の体に装着可能かつ取付け可能であり、かつこの安全ベルトが、安全ベルトの装着及び取外しを可能にする少なくとも２つのベルト部分、及びベルト部分を確実にかつ再び取外し可能に結合する取付け要素を有する、とくに人間の保護のための安全ベルトにおいて、
安全ベルト（２０）が、多様の安全又は保護要素のための少なくとも１っの取付け装置（２５）を有し、この取付け装置が、少なくとも１つのベルト部分（２１，２２）に固定的に結合されており、その際、取付け装置（２５）を含む安全ベルト（２０）が、長い期間にわたってかつ日常生活の活動の際にも、望ましい装着快適性及び大きな運動自由度において安全ベルト（２０）の装着が可能であるように、その寸法及びその重量について形成されていることを特徴とする、とくに人間の保護のための安全ベルト。
【請求項２】
取付け装置（２５）が、なるべく自由端（５１，５２）を有する少なくとも１つのロープ（２６，２７）に固定的に結合されており、このロープが、とくにロープ（２６，２７）の手動の繰り出し又は巻取りが可能なように、その横断面及びその材料特性に関して形成されていることを特徴とする、請求項１に記載の安全ベルト。
【請求項３】
２つのロープ（２６，２７）が設けられていることを特徴とする、請求項２に記載の安全ベルト。
【請求項４】
安全ベルト（２０）の装着状態において、それぞれのロープ（２６，２７）に、負荷を受けて形成される横方向力伝達点（６１，６２）が付属しており、これらの力伝達点が、人間の体の安定な位置を可能にする相互の間隔を有することを特徴とする、請求項２又は３の１つに記載の安全ベルト。
【請求項５】
ロープ（２６，２７）が、引き裂きなしに、確実に少なくとも人間の体の自重を支持するように、その横断面及びその材料特性に関して構成されていることを特徴とする、請求項２ないし４の１つに記載の安全ベルト。
【請求項６】
取付け装置（２５）が、引っ張り負荷を受けたロープ（２６，２７）又は体を制動するために、ロープ（２６，２７）に連結可能でありかつなるべくけん引クラッチを有するように形成された少なくとも１つのブレーキ要素に固定的に結合されていることを特徴とする、請求項２ないし５の１つに記載の安全ベルト。
【請求項７】
ブレーキ要素が、ブレーキカをロープ（２６，２７）に伝達するためにブレーキ力伝達手段を備え、このブレーキ力伝達手段が、ブレーキカの大きさを可変に調節する（６４，６６）ために調節手段を備えていることを特徴とする、請求項６に記載の安全ベルト。
【請求項８】
調節手段（６４，６６）が、手動でなるべく回転信号発生器によって調節可能であることを特徴とする、請求項７に記載の安全ベルト。
【請求項９】
調節手段（６４，６６）が、所定の体位置にかつ／又はロープ負荷に依存するブレーキカの大きさの調節を可能にする機構に連結されていることを特徴とする、請求項７又は８に記載の安全ベルト。
【請求項１０】
取付け装置（２５）が、ロープ（２６，２７）を巻取り又は繰り出すためにロープローラ（５８，５９）に固定的に結合されており、このロープローラが、なるべくロープ（２６，２７）の巻取りを援助する戻し要素、とくにねじりばねを有することを特徴とする、請求項２ないし９の１つに記載の安全ベルト。
【請求項１１】
安全ベルト（２０）が、力伝達部材を取付けるために取付け要素（５５）に結合されており、かつなるべく安全ベルト（２０）の閉じた状態において取付け要素（５５）が安全ベルト（２０）の１つの範囲に配置されているように取付けられており、この範囲が、１つ又は複数のロープ（２６，２７）の負荷を受けて形成される１つ又は複数の力作用点（６１，６２）に対向していることを特徴とする、請求項１ないし１０の１つに記載の安全ベルト。
【請求項１２】
取付け装置（２５）が、手動で及び／又は少なくとも１つのセンサ（２８，２９，３１，３２）によって制御されかつなるべく光学的、音響的、電気的及び／又は電磁的な警報信号を送出する信号発生器（３３，３４，３５，３６，３７）に結合されていることを特徴とする、請求項１ないし１１の１つに記載の安全ベルト。
【請求項１３】
センサ（２８，２９，３１，３２）が、温度、湿度、空気組成、煙含有量及び／又は類似のもののような環境条件を検出するように形成されていることを特徴とする、請求項１２に記載の安全ベルト。
【請求項１４】
取付け装置（２５）が、電気警報システム（４０）に、及び警報システム（４０）に電流を供給するために自給自足の電流源に接続されていることを特徴とする、請求項１ないし１３の１つに記載の安全ベルト。
【請求項１５】
警報システム（４０）が、送信機（７１）及び／又は受信機（７２）を有するように構成されていることを特徴とする、請求項１４に記：載の安全ベルト。
【請求項１６】
警報システム（４０）が、これが安全ベルト（２０）の衛星援助された位置判定を可能にするように形成されており、なるべくＧＰＳシステムとして形成されていることを特徴とする、請求項１４又は１５に記載の安全ベルト。
【請求項１７】
取付け装置（２５）が、ガラス窓を打ち壊すために手動で操作可能な安全補助要素に取外し可能に又は紛失することがないように結合されていることを特徴とする、請求項１ないし１６の１つに記載の安全ベルト。
【請求項１８】
安全ベルト（２０）が、なるべくアルミニウムによって形成された安全カバーを収容するための収容装置（７３）を有することを特徴とする、請求項１ないし１７の１つに記載の安全ベルト。
【請求項１９】
取付け装置（２５）が、人物識別のために、安全ベルト（２０）の装着状態において見ることができない安全刻印を有することを特徴とする、請求項１ないし１８の１つに記載の安全ベルト。
【請求項２０】
取付け装置（２５）が、通話を無線伝送するための装置、とくに無線電話を有することを特徴とする、請求項１ないし１９の少なくとも１つに記載の安全ベルト。
【請求項２１】
通話を無線伝送するための装置が、自由通話装置を含み、この自由通話装置が、なるべく通話制御部を介して通話伝送を可能にすることを特徴とする、請求項２０に記載の安全ベルト。
【請求項２２】
自由通話装置が、取付け装置（２５）に電気的に結合可能に構成されており、かつそのために接触プラグを有し、この接触プラグが、取付け装置（２５）の電気的な対向接触プラグに合わせて形成されていることを特徴とする、請求項２０又は２１の少なくとも１つに記載の安全ベルト。
【請求項２３】
通話を無線伝送するための装置が、なるべく取付け装置（２５）に又はこれに結合されたカバー部分に配置されたキーボードによって操作可能であることを特徴とする、請求項２０ないし２２の少なくとも１つに記載の安全ベルト。
【請求項２４】
取付け装置（２５）が、これに取外し可能に結合された自由通話装置のためのなるべく分離した区画を有することを特徴とする、請求項２０ないし２３の少なくとも１つに記載の安全ベルト。
【請求項２５】
保護又は安全要素、とくにロープ（２６，２７）、センサ（２８，２９，３１，３２）、信号発生器（３３，３４，３５，３６，３７）、警報システム（４０）、電流源及び／又は安全刻印が、破壊することなくこれらが取り外すことができないように、取付け装置（２５）に取付けられていることを特徴とする、請求項１ないし２４の少なくとも１つに記載の安全ベルト。
【請求項２６】
取付け装置（２５）又はこれに固定的に結合されたカバー部分が、安全ベルト（２０）の装着状態においてこれらが取付け要素（２５）をカバーするように構成されており、権限のない第三者による安全ベルト（２０）の開きが、取付け装置（２５）又はカバー部分を破壊することなく行なうことができないようになっていることを特徴とする、請求項１ないし２５の１つに記載の安全ベルト。
【請求項２７】
取付け装置（２５）又はカバー部分が、あらかじめ設定された安全コードによってしか安全ベルト（２０）の開きが行なうことができないように、設定可能な安全コードによって操作可能な安全機構によって、取付け要素に連結されていることを特徴とする、請求項１ないし２６の１つに記載の安全ベルト。
【請求項２８】
安全コードが、安全ベルト（２０）の装着状態において外部からアクセス可能な、なるべく取付け装置（２５）又はカバー部分に配置されたキーボード（４１）によって入力可能であることを特徴とする、請求項２７に記載の安全ベルト。
【請求項２９】
保護又は安全要素、とくにロープ（２６，２７）、センサ（２８，２９，３１，３２）、信号発生器（３３，３４，３５，３６，３７）、警報システム（４０）、通話を無線伝送するための装置及び／又はキーボード（４１）が、液体に対して保護されて、又は密閉されて配置されていることを特徴とする、請求項１ないし２８の１つに記載の安全ベルト。
【請求項３０】
取付け装置（２５）が、板又は箱形に形成されていることを特徴とする、請求項１ないし２９の１つに記載の安全ベルト。
【請求項３１】
安全ベルト（２０）が、腰ベルトとして形成されていることを特徴とする、請求項１ないし３０の１つに記載の安全ベルト。
【請求項３２】
取付け装置（２５）及びこれに固定的に結合された安全又は保護手段が、安全ベルト（２０）の装着状態において腹側又は腹部に配置されていることを特徴とする、請求項１ないし３１の１つに記載の安全ベルト。
【請求項３３】
取付け装置（２５）及びこれに固定的に結合された安全又は保護手段が、安全ベルト（２０）の装着状態において共通のユニット（８０）を形成していることを特徴とする、請求項１ないし３２の１つに記載の安全ベルト。
【考案の詳細な説明】
【０００１】
本発明は、安全ベルトが、人間の体に装着可能かつ取付け可能であり、かつこの安全ベルトが、安全ベルトの装着及び取外しを可能にする少なくとも２つのベルト部分、及びベルト部分を確実にかつ再び取外し可能に結合する取付け要素を有する、とくに人間の保護のための安全ベルトに関する。
【０００２】
ますます多くなる数の人間が、ますます大きくなる程度の火災、とくに高層建築又はトンネル火災、又は嵐、洪水、雪崩又は地震によって引起こされる天災による増大する危険の可能性に直面している。さらにとくに身体的又は性的な暴力を及ぼす犯罪者に対する保護における増大する要求も存在する。
【０００３】
このような目的に対して人間を保護するための一連の安全ベルトが周知になっている。その際、それに同調された特殊な安全又は保護機能を有する特殊な役割のための安全ベルトが問題になっている。これらの安全ベルトは、安全使用の間の比較的短時間の装着のためだけに考慮されている。さらに長い期間にわたる、例えば一日中にわたる又は日常の作業又は活動の際のこのような安全ベルトの装着は、全く又はかなりの制限によってしか可能ではない。
【０００４】
したがって本発明の課題は、従来の技術により周知の欠点を回避する安全ベルトを提供することにある。
【０００５】
この課題は、特許請求の範囲第１項の特徴によって、とくに次のようにして解決される。すなわち安全ベルトが、多様の安全又は保護要素のための少なくとも１つの取付け装置を有し、この取付け装置が、少なくとも１つのベルト部分に固定的に結合されており、その際、取付け装置を含む安全ベルトが、長い期間にわたってかつ日常生活の活動の際にも、望ましい装着快適性及び大きな運動自由度において安全ベルトの装着が可能であるように、その寸法及びその重量について形成されている。
【０００６】
それにより多機能安全ベルトを提供することが、この時に初めて可能であり、この安全ベルトは、日常の業務上の又は個人的な活動の際にさらに長い期間にわたっても装着することができ、かつこの安全ベルトは、安全ベルトを装着した人間の装着快適性及び運動自由度における要求に応じる。
【０００７】
有利なように、取付け装置は、なるべく自由端を有する少なくとも１つのロープに固定的に結合されており、このロープは、とくにロープの手動の繰り出し又は巻取りが可能なように、その横断面及びその材料特性に関して形成されている。このロープにより、ベルトを装着した人間は、緊急の場合、例えば住宅火災又は危険な状況の際に有利にロープで下ろすことができ、その際、ロープは、その可とう性又は弾性に基づいて簡単に手動で繰り出すことができ、又は長く延ばすことができ、かつ安全使用の後に再び簡単に手動で巻取ることができ、又はループにして置き、かつ続いて場所的に望ましいように安全ベルトに取付けることができる。
【０００８】
目的に合うように、２つのロープが設けられている。それによりロープで下ろす際にとくに望ましい安定状態、及び望ましい取扱いが達成できる。その他の点においてそれにより安全性の準備が明確に増大することができ、又はロープ横断面の減少によってなおさらに望ましい取扱い状態が達成できる。
【０００９】
目的に合うように、安全ベルトの装着状態において、それぞれのロープに、負荷を受けて形成される横方向力伝達点が付属しており、これらの力伝達点は、人間の体の安定な位置を可能にする相互の間隔を有する。
【００１０】
ロープが、その際に引き裂きなしに、確実に少なくとも人間の体の、したがって安全ベルトの装着者の自重を支持するように、その横断面及びその材料特性に関して構成されていることは自明である。
【００１１】
有利なように、取付け装置は、引っ張り負荷を受けたロープ又は体を制動するために、ロープに連結可能でありかつなるべくけん引クラッチを有するように形成された少なくとも１つのブレーキ要素に固定的に結合されている。それによりロープにより下ろす際に管理されかつ計量された制動が達成できる。
【００１２】
このことは、ブレーキ要素が、ブレーキ力をロープに伝達するためにブレーキ力伝達手段を備え、このブレーキ力伝達手段が、ブレーキ力の大きさを可変に調節するために調節手段を備えている場合、それによりさらに助長することができ、その際、調節手段は、なるべく手動で、とくに回転信号発生器によって調節可能である。
【００１３】
調節手段が、所定の体位置にかつ／又はロープ負荷に依存するブレーキ力の大きさの調節を可能にする機構に連結されていると、とくに有利である。それにより有利な手動の又はそれどころか自動的なブレーキ力の制御が達成でき、このことは、ロープにより下ろす際の安全性をなおさらに増加する。
【００１４】
さらに取付け装置が、ロープを巻取り又は繰り出すためにロープローラに固定的に結合されており、このロープローラが、なるべくロープの巻取りを援助する戻し要素、とくにねじりばねを有すると有利である。それにより大きな運動自由度を維持してとくに望ましい場所状態、及びロープの巻取り又は繰り出しの際の望ましい手動取扱いが達成できる。その際、ロープローラの回転軸線が、取付け要素に対して又はベルト装着者の体又は胴体の長手軸線に対して垂直に配置されていると、とくに有利である。それにより取付け装置のとくに扁平な構成様式に関連して望ましい組込み状態が達成できるので、ベルト装着者は、その運動自由度について全く又はたいしたことがない程度にしか制限されない。
【００１５】
目的に合うように、安全ベルトは、例えばロープ、チェーン又は条片のような力伝達部材を取付けるために取付け要素に固定的に結合されており、かつなるべく安全ベルトの閉じた状態において取付け要素が安全ベルトの１つの範囲に配置されているように取付けられており、この範囲は、１つ又は複数のロープの負荷を受けて形成される１つ又は複数の力作用点に対向している。したがって取付け要素が、例えばリングとして形成されているとき、安全ベルトは、保持装置として、又は対象物を確実に取付けるために利用することもできる。
【００１６】
取付け装置が、手動で及び／又は少なくとも１つのセンサによって制御されかつなるべく光学的、音響的、電気的及び／又は電磁的な警報信号を送出する信号発生器に固定的に結合されていると、とくに有利である。それによりベルト装着者は、緊急の場合に、有利に自身に注意を向けることができ、又は信号発生器を手動で操作することによって警報効果を達成することができ、この警報効果は、潜在的な犯罪者の犯罪行為を防止することができ、かつ逃走させることができる。このような緊急の状況において、ベルトの装着者が意識を失い、かつ又は別の理由によりもはや信号発生器を手動で操作することができないことが生じる場合があるので、有利なように信号発生器の自動的なセンサ制御によって、１つ又は複数の適当な警報信号を送出することができる。そのために目的に合うように、センサは、温度、湿度、空気組成、煙含有量及び／又は類似のもののような環境条件を検出するためのセンサとして形成することができる。有利なようにこのような複数のセンサ又は多機能なセンサを利用することができるので、安全ベルトによって種々の緊急状況において高い熱又は冷却のようなその都度の環境状況に依存して、水中における滞在の際及び／又は煙又は有害ガスの形成の際に、自動的に適当な警報信号を送出することができる。このことは、所望のように緊急状況にあるベルト装着者の迅速な位置判定を可能にし、その際、警報信号は、有利なように、これらの警報信号が無線方位測定等を介して無線方位測定可能であるように形成されている。
【００１７】
取付け装置が、電気警報システムに、及び警報システムに電流を供給するために自給自足の電流源に固定的に接続されていると、とくに有利であり、その際、有利なように警報システムは、送信機及び／又は受信機を有するように構成されている。それにより緊急の場合に出会ったベルト装着者のとくに望ましいかつ迅速な位置判定が達成できる。警報システムが、これが安全ベルトの衛星援助された位置判定を可能にするように形成されており、その際、警報システムが、なるべくＧＰＳシステムとして形成されていると、なお一層高い精度による位置判定が達成できる。信号発生器３３、３４、３５、３６、３７と同様に、警報システム４０は、センサ制御により、または手動で、ここでは操作キーボード６８によって操作することもできる。
【００１８】
さらに取付け装置が、ガラス窓を打ち壊すために手動で操作可能な安全補助要素に取外し可能に又は紛失することがないように結合されていると、目的に合っている。それにより望ましいように、ガラス装備品、例えば窓及びドアガラスを破壊することによって、逃走経路を提供することができる。このことは、１人又は複数の関係者に対する迅速な逃走可能性を可能にする。
【００１９】
目的に合うように、安全ベルトは、なるべくアルミニウムによって形成された安全カバーを収容するための収容装置を有する。そのために例えばアルミニウムによってカバーされた安全カバーが適しており、これらの安全カバーは、有利な加熱保護及び／又は過冷却に対する保護を可能にする。
【００２０】
安全ベルトが、人物識別のために、装着状態において見ることができない安全刻印を有すると、さらに目的に合っている。それにより個人的なデータが、権限のない第三者に対して有利に保護されているが、緊急の場合、権限を有する人間は、関係者の迅速な識別のために利用することができる。
【００２１】
取付け装置が、通話を無線伝送するための装置、とくに無線電話を有すると、とくに有利である。それにより安全ベルトの装着者、及び場合によっては補助者も、迅速な助けを求め、かつその際に当該の人、緊急状況の様式、所在地等に関する詳細な報告を行なう可能性を有する。このことは、なお一層効率的な補助使用を可能にする。
【００２２】
目的に合うように、通話を無線伝送するための装置は、自由通話装置を含み、この自由通話装置は、なるべく通話制御部を介して通話伝送を可能にする。それによりとくに簡単な通信が可能であるが、一方ベルト装着者は、別の目的のために手を有利に使用することができる。
【００２３】
自由通話装置が、取付け装置に電気的に結合可能に構成されており、かつそのために接触プラグを有し、この接触プラグが、取付け装置の電気的な対向接触プラグに合わせて形成されていると、さらに目的に合っている。それにより自由通話装置は、選択的に携帯することができ、かつ必要に応じて別の位置に、例えば自動車内において使用することができる。
【００２４】
通話制御の代わりに、かつ／又は通話制御と組合せて、通話を無線伝送するための装置は、なるべく取付け装置に又はこれに結合されたカバー部分に配置されたキーボードによって操作可能であることができ、その際、数値キーボードが望ましい。
【００２５】
取付け装置が、これに取外し可能に結合され準自由通話装置のためのなるべく分離した区画を有すると、さらに目的に合っている。このことは、自由通話装置の簡単な使用又は取外し、及び湿気又は液体のような環境の影響に対する望ましい保護を可能にする。
【００２６】
保護又は安全要素、とくにロープ、センサ、信号発生器、警報システム、電流源及び／又は安全刻印は、破壊することなくこれらが取り外すことができないように、取付け装置に取付けられていると、とくに有利である。それによりこのような保護又は安全要素の権限のない除去に対する追加的な保護が達成される。
【００２７】
有利なように取付け装置又はこれに固定的に結合されたカバー部分は、安全ベルトの装着状態においてこれらが取付け要素をカバーするように構成されており、権限のない第三者による安全ベルトの開きが、取付け装置又はカバー部分を破壊することなく行なうことができないようになっている。それにより権限のない第三者による安全ベルトの開き又は取外しを全く又はさらに大きな困難によってしか可能にしない追加的な保護可能性が提供できる。
【００２８】
そのために取付け装置又はカバー部分は、目的に合うように、あらかじめ設定された安全コードによってしか安全ベルトの開きが行なうことができないように、設定可能な安全コードによって操作可能な安全機構によって、取付け要素に連結されている。それにより望ましいように、前記の保護可能性が達成できるが、一方安全ベルトの装着者にとって適正な安全コードの入力によって簡単に、とくにキー等のような追加的な補助手段を利用することなく、安全ベルトの開き及び取外しが可能である。このことは、例えば安全コードが、ベルトの装着状態において外部からアクセス可能な、なるべく取付け装置又はカバー部分に配置されたキーボードによって入力可能であることによって、達成することができる。
【００２９】
目的に合うように、保護又は安全要素、とくにロープ、センサ、信号発生器、警報システム、通話を無線伝送するための装置及び／又はキーボードは、液体に対して保護されて、又は密閉されて配置されているので、これらの支障ない機能は、雨又はしぶきのような液体の作用を受けて又は水中に浸された際にも保証されている。
【００３０】
目的に合うように、取付け装置は、板又は箱形に形成されている。それにより望ましい重量及び有利なコンパクトな寸法において、安全又は保護要素の望ましい配置及び取付けが可能である。
【００３１】
有利なように安全ベルトは、腰ベルトとして形成されている。このことは、簡単な通常の装着及びとくにズボンのベルトとしての利用を可能にする。それにより安全又は保護要素を有する取付け装置のための望ましい装着快適性及び望ましい配置可能性が可能になっているので、ベルト装着者の運動自由度の妨げは、全く又はたいしたことがない程度にしか生じない。
【００３２】
その際、有利なように取付け装置及びこれに固定的に結合された安全又は保護手段は、安全ベルトの装着状態において腹側又は腹部に配置されている。このことは、安全又は保護手段の望ましい配置及び操作可能性の際に、とくに有利な装着快適性を可能にする。この配置によって、とくに日常生活の活動の際にも、ベルト装着者にとって最大の運動自由度が可能である。
【００３３】
取付け装置及びこれに固定的に結合された安全又は保護手段は、安全ベルトの装着状態において共通のユニットを形成していると、とくに有利である。それにより安全又は保護手段全体は、とくに有利に配置しかつ操作することができる。共通のユニットの形成によって引起こされて、ベルト装着者に対する望ましい運動状態において、重量を最適化した構成が達成される。さらにそれにより安全べルトのとくに望ましいデザインにおいて、安全又は保護要素の保護されたかつ安全な配置が可能になる。
【００３４】
前記の処置は、個別的にかつ互いに組合せて、多機能安全機能によって増大した安全の要求にとって十分な要求を満たすために貢献し、かつ業務上の又は個人的な分野においてさえ、一層長い期間にわたる装着の際にも、とくに日常生活の多様な活動の際に望ましい装着快適性及びほとんど制限のない運動自由度を可能にする。
【００３５】
本発明のその他の特徴、観点及び利点は、図によって取扱われる次の説明部分から引出すことができる。
【００３６】
次に本発明の有利な実施例を図によって説明する。
【００３７】
安全ベルト２０は、安全ベルト２０の装着及び取外しを可能にする両方のベルト部分２１及び２２、及び種々の安全又は保護要素のための取付け装置２５を有する。取付け装置２５は、この取付け装置炉安全ベルト２０の開いた状態において一方のベルト部分だけ、例えばベルト部分２２だけに取付けられているように構成されている。他方のベルト部分２１は、例えば切り欠きを備えた板状の連結部分に結合されている。このベルト部分２１は、取付け装置２５の自由端７６の範囲においてこれに沿って案内することができ、又はこの中に差込むことができ、かつ続いて安全止め金４２に結合された図には詳細に示されていない取付け要素５０に連結することができる。この取付け要素は、安全ベルト２０の簡単かつ迅速な手動装着又は取外しのために、なるべく係止又は取外し可能な係止要素によって、例えば飛行機ベルトにおいて利用されるような連結止め金の様式にしたがって構成されている。確実であるが再び取外し可能なベルト部分２１、２２の結合のために、例えば板状の連結部分は、その収容及び係止を可能にする同様に図には詳細に示されていない対向連結部分内に差込まれる。
【００３８】
図１及び２に示された有利な実施例において、安全又は保護要素のための取付け装置２５又は装着装置は、コンパクトなかつユニットの構成要素として構成されており、その際、これに固定的に結合された安全又は保護手段は、安全ベルト２０の装着状態において、共通のユニット８０を形成している。それにより取付け装置２５は、簡単、コンパクトかつ望ましいコストに製造することができ、かつ機械的、化学的及び化学的／物理的又は物理的な干渉に対してとくに有利な保護が達成可能である。
【００３９】
さらにユニット８０の有利な配置及び構成は、安全ベルト２０の装着者に対する運動自由度における最大の維持に関連して、安全ベルト２０のわずかな総合重量において望ましい装着快適性を可能にする。
【００４０】
安全ベルト２０の代替構成によれば、両方のベルト部分２１、２２も、それぞれ１つの取付け装置に固定的に結合することができ、その際、一方の取付け装置は、ベルト部分２１、２２の確実な再び取外し可能な結合を可能にする取付け要素５０の確実なカバーのために適当に構成されてたカバー部分を備えている。
【００４１】
主要な安全又は保護要素として、ロープ２６、２７、センサ２８ないし３２、信号発生器３３ないし３７、警報システム４０、キーボード４１、安全止め金４２、及びなるべく安全止め金４２の裏側に配置された安全刻印が設けられている。
【００４２】
ロープ２６、２７は、それぞれ自由端５１、５２を有し、これらの自由端に、ここではリング５３又は安全フック５４の形の適当に構成された取付け要素が配置されており、かつそれぞれのロープ２６又は２７に固定的に結合されている。ロープ２６、２７は、多様な様式で利用することができる。これらのロープは、とくに緊急の状況において、例えば住宅火災の際に、ロープにより下ろすことができるようにするために、安全ベルト２０の装着者のために使われ、かつそのために例えば５０ｍの有利な長さを有する。しかしロープ２６、２７によって安全ベルト２０の装着者は、別の人をロープで下ろすことを可能にすることもでき、又はロープに取付けた対象物を保護することができる。さらに安全ベルトを保持装置として、又は対象物を確実に取付けるために利用することが可能である。そのためになるべく安全ベルト２０の閉じた状態において、取付け装置２５に対して裏側に又は相対的に対向する取付け要素５５に、例えばリングに、適当な力伝達部材、例えばロープ、棒、チェーン等が取付けられる。このようにして安全ベルト２０自体によってかつ／又はロープ２６、２７によって、対象物を保護することができる。
【００４３】
ロープ２６、２７は、とくにロープ２６、２７の手動の繰り出し又は巻取りが可能なように、その横断面及びその材料特性に関して形成されている。それぞれのロープ２６、２７は、箱形に形成された取付け装置２５内に設けられた開口５６、５７を通って案内されており、かつ取付け装置２５の内部においてロープローラ５８、５９に、繰り出し又は巻取り可能に配置されている。ロープローラ５８、５９の回転軸線８２、８３は、取付け装置２５の基礎部材３８に対して垂直に形成されており、又は安全ベルト２０の装着状態において、ベルト装着者の体又は胴体の長手軸線に対してほぼ垂直に配置されている。それによりロープローラ５９、５９は、とくに場所を節約して取付け装置２５内に配置することができる。このことは、取付け装置２５のとくに扁平な構成様式を可能にするので、ベルト装着者を著しく妨害することなく、望ましい運動能力を達成することができる。とくに負荷を受けて形成される力伝達点６１及び６２は、互いに側方に間隔を置いて配置されているので、ロープで下ろす際に、ベルト装着者の人間の体の安定な位置が達成可能である。
【００４４】
ロープ２６、２７は、これらが少なくとも確実にベルト装着者の人間の体の自重を、引き裂きなしに確実に支持することができるように、その横断面及びその材料特性に関して構成されていることは明らかである。有利な構成によれば、安全ベルト２０は、強化する材料層６３を有し、これらの材料層は、なるべく強化するコア層として、とくに鋼周面の形にかつ／又は高性能合成物質を利用して形成されている。
【００４５】
負荷を受けて管理された又は計量された制動を可能にするために、取付け装置２５は、ロープ２６、２７に連結可能な少なくとも１つのブレーキ要素を装備しており、このブレーキ要素は、なるべくけん引クラッチを有するように形成されている。
【００４６】
その際、なるべくブレーキ要素は、ロープ２６、２７にブレーキ力を伝達するためにブレーキ力伝達手段を備え、このブレーキ力伝達手段は、ブレーキ力の大きさを可変に調節するために調節手段６４、６６を備えている。調節手段６４、６６は、回転信号発生・器によって手動で調節することができる。調節手段６４、６６は、図２に特徴を示した位置の代わりに、容易に操作可能な別の適当な位置に、例えば取付け装置２５の前側に、とくにロープローラ５８、５９に対応する範囲に配置してもよい。
【００４７】
取付け装置２５に、センサ２８、２９、３１、３２が固定的に結合されている。その際、センサ２８は湿度センサとして、センサ２９は空気組成を検出するセンサとして、センサ３１は温度センサとして、かつセンサ３２は煙り報知器として形成されている。センサ２８、２９、３１、３２によって、あらかじめ与えられる限界値に依存して、信号発生器３３、３４、３５、３６、３７が制御される。信号発生器３３は、音響的な信号を送出するためにスピーカとして構成されている。信号発生器３４、３５、３６、３７は、所定の緊急の場合の状況に依存してセンサ２８、２９、３１、３２によって検出された環境条件について、適当な形でベルト装着者自身に及び／又は第三者に知らせるため、助けを呼ぶため、又は適当な形で警報を発するために、光学的、電気的、電磁的及び／又はその他の適当な警報信号を送出することを可能にする。しかしながら信号発生器３３、３４、３５、３６、３７は、例えば操作ボタン６７（図２）によって、手動で操作することもできる。センサ２８、２９、３１、３２及び信号発生器３３、３４、３５、３６、３７は、比較的小さくかつ軽く構成することができるので、望ましい場所及び重量状態を達成することができる。
【００４８】
窮地に陥ったベルト装着者をできるだけ迅速にかつ効率的に助けることができるようにするために、所定の緊急の場合の状況に依存して、安全ベルト２０を装着した人間のとくに正確な位置判定が必要である。そのためにとくに電気警報システム４０が設けられており、この警報システムは、図には示されていない自給自足の電流源に連結されている。その他の信号発生器３３、３４、３５、３６、３７及びセンサ２８、２９、３１、３２が、同様に例えば再充電可能なバッテリーの形の適当な自給自足の電流源によって又は手動操作可能な発電機によって電流を供給できることは明らかであり、その際、とくに後者は、バッテリーが空になった又は放電した状況において、それでもなお前記の要素の動作のために電流を発生することができる。
【００４９】
警報システム４０は、送信機７１及び受信機７２を有するように構成されている。送信機は、とくに無線方位測定可能な信号の送出を可能にする。受信機は、警報信号を受信し、かつなるべく窮地に陥った第三者の無線方位測定を行なうことを、安全ベルト２０の装着者にとって可能にする。安全ベルト２０の装着者のとくに精密な無線方位測定又は位置判定は、警報システム４０が、衛星援助された位置判定を可能にするように構成されていることによって、達成することができる。したがって警報システム４０は、なるべくＧＰＳシステムとして、すなわちグローバル位置判定システムとして形成されている。
【００５０】
所定の緊急の状況において、例えば火災によって引起こされた熱の発生に対する効果的な防止を迅速に可能にするために、又は冷却又は過冷却に対する防止を保証するために、安全ベルト２０は、収容装置７３を備えている。この収容装置に又はその中に、なるべくアルミニウムによってカバーされた又はアルミニウムからなる安全カバーが配置されている。
【００５１】
取付け装置２５自体は、なるべく板状に形成された少なくとも１っの基礎部材３８を有するように構成されており、この基礎部材は、一方のベルト部分２１、２２に固定的に結合されている。意図に反した又は意図的な機械的な損傷に対する、かつあらゆる種類の液体の侵入に対する、とくに水の侵入に対する保護のために、安全又は保護要素の確実な収容のために、取付け装置２５は箱状に形成されている。
【００５２】
図１及び２に示された取付け装置２５は、安全ベルト２０の装着状態において、安全止め金４２が図には詳細に示されていない取付け要素５０を、ベルト部分２１、２２の確実なかつ再び取外し可能な結合のためにカバーするように構成されており、権限のない第三者による安全ベルト２０の開きが安全金具４２又は取付け装置２５を破壊することなく行なうことができないようになっている。その代わりに取付け装置２５に固定的に結合されたカバー部分は同様に構成することができるので、権限のない第三者による安全ベルト２０の開きは、カバー部分を破壊することなく行なうことができない。
【００５３】
とくに図２から明らかなように、取付け装置２５は安全止め金４２を有するように形成されており、この安全止め金は、とくに飛行機座席の安全ベルトにおいて通常の安全連結部の様式にしたがって、取付け要素５０の操作を可能にする。安全止め金４２は、意図しない開きに対して又は権限のない第三者による安全ベルトの開きに対してベルト装着者を保護するために、安全機構に結合されており、この安全機構は、安全ベルト２０装着者によって又は権限を有する第三者によってしか、損傷のない又は破壊のない安全ベルト２０の開きが可能でないように、取付け要素５０に連結されている。そのために取付け装置２５は、あらかじめ設定可能な安全コードを入力するためにキーボード４１を有し、その際、図から明らかなように、キーボード４１は、外から又は前から操作可能であるように、安全止め金４２に統合されている。安全止め金４２は、有利なように図には詳細に示されていないセンサに連結されており、このセンサは、安全金具４２の権限のない開きの試みの際、したがって例えば所定のあらかじめ設定可能な限界を超える機械的な力、又は安全ベルト２０又はその保護又は安全要素の損傷又は破壊に向けられたその他の物理的及び／又は化学的な介入の作用によって、１つ又は複数の信号発生器３３、３４、３５、３６、３７及び／又は警報システム４０の送信機７１の操作を引起こす。さらに１つ又は複数の信号発生器３３、３４、３５、３６、３７による同時の光学的、電気的かつ／又は音響的な信号発生によって、その介入が自動的に認識され、かつ助けを行なう第三者に、例えば警察官に引続き知らされることが、早期に権限のない第三者に信号通知することができる。信号発生器３３、３４、３５、３６、３７が、とくにスピーカとして構成された信号発生器３３が、広い区間にわたって聞くことができる警報音を送出するので、それにより権限のない第三者を逃がすことができるように形成されていることは明らかである。
【００５４】
ベルト装着者に向けられた取付け装置２５の内側に、なるべく基礎部材３８の７４の裏側に又は安全金具４２の内側に、安全刻印又は類似の個人識別手段が取付けられており、それにより安全ベルトを装着した人の識別、例えばベルト装着者の名前、住所及び／又は電話番号又は通知すべき第三者を確認することが、権限を有する人間にとって可能である。
【００５５】
さらに取付け装置２５は、ガラス窓を打ち壊すために手動操作可能な安全補助要素として、つめ、又は尖端を備え容易に取扱い可能でありかつわずかな重量を有する別の適当な安全補助要素を有する。これらは、取付け装置２５に、取外し可能に又は紛失することがないように、例えば細い鋼ロープを介して結合することができ、かつ適当な収容装置８１内に確実であるが容易にアクセスできるように保管することができる。
【００５６】
安全ベルト２０は、なるべく腰ベルトとして、とくにズボンベルトとして装着され、その際、取付け装置２５及びこれに結合された安全又は保護要素は、安全ベルト２０を装着した状態において、なるべく腹側又は腹部に、したがって安全ベルト２０の‘１’突出部の腹部の前に配置されている。これらの処置は、安全ベルト２０の装着者の最大の運動自由度の際に、とくに望ましい装着快適性を可能にする。
【図面の簡単な説明】
【図１】安全又は保護要素を有する取付け装置を備えた安全ベルトの概略的な斜視図である。
【図２】安全又は保護要素を一層良好に示すために一部断面で取付け装置の範囲における安全ベルトの拡大した部分斜視図を示す略図である。
【図１】
0003099330.tif 000002
【図２】
0003099330.tif 000003